(57)【要約】【課題】  開閉式テントの天幕の下に横膜を吊設可能とする。【解決手段】  天幕１の芯材位置の下面に吊り掛け具７を取り付け、横膜８が吊設される。吊り掛け具７は、天幕１の芯材２を把持して天幕１を開閉自在に吊下げる芯材吊金具３の直下位置において天幕１の下面に取り付けられる。吊り掛け具に吊下げられた横膜の荷重は、芯材吊金具によって受けられるため、横膜を安定してしっかりと吊下げることができる。また、天幕の開閉と連動して横膜も開閉させることができる。【選択図】        図８
0003217663.tif 000002
【実用新案登録請求の範囲】
【請求項１】
天幕の芯材位置の下面に吊り掛け具を取り付けたことを特徴とする開閉式テント。
【請求項２】
前記吊り掛け具は、天幕の芯材を把持して天幕を開閉自在に吊下げる芯材吊金具の直下位置において前記天幕の下面に取り付けられていることを特徴とする請求項１に記載の開閉式テント。
【請求項３】
前記吊り掛け具は、前記天幕の下面に縫い付けられた輪状帯状部材を備えることを特徴とする請求項１又は２に記載の開閉式テント。
【請求項４】
前記吊り掛け具に横膜が吊下げられていることを特徴とする請求項１〜３の何れかに記載の開閉式テント。
【考案の詳細な説明】
【技術分野】
【０００１】
本考案は、天幕が開閉可能な開閉式テントに関する。
【背景技術】
【０００２】
従来、天幕を開閉可能にする開閉式テントは、図９および図１０に示すように、布製の天幕１に並列に設けた複数本の芯材２の両側を芯材吊金具３に挟持させ、芯材吊金具３を桁フレーム４に形成されたレールにスライド自在に吊下げることにより、天井部の開口を天幕１により開閉自在とする（例えば特許文献１、非特許文献１等）。
【先行技術文献】
【特許文献】
【０００３】
【特許文献１】特開２０１１−９９２４３公報
【非特許文献】
【０００４】
【非特許文献１】意匠登録第１２２９９３４号公報
【考案の概要】
【考案が解決しようとする課題】
【０００５】
上記従来の開閉式テントは、一般に、主として日除けや雨除けに用いられものであるため、横膜（カーテン）を設けられることはなく、また、横膜を吊下げようとしても、芯材吊金具で天幕の芯材を吊下げる構造上、吊下げられるレールやワイヤーの間隔よりも天幕の芯材長さ方向の長さが長く、天幕がレールやワイヤーの外側にはみ出しているため、横膜を取り付けるには、天幕の外側に更に横膜用のレールかワイヤーを設ける必要があった。
【０００６】
そこで、本考案は、開閉式テントに横膜用のレールやワイヤーを設けることなく、横膜を張設可能な開閉式テントを提供することを主たる目的とする。
【課題を解決するための手段】
【０００７】
上記目的を達成するため、本考案に係る開閉式テントは、天幕の芯材位置の下面に吊り掛け具を取り付けたことを特徴とする。
【０００８】
前記吊り掛け具は、天幕の芯材を把持して天幕を開閉自在に吊下げる芯材吊金具の直下位置において前記天幕の下面に取り付けられていることが好ましい。
【０００９】
前記吊り掛け具は、前記天幕の下面に縫い付けられた輪状帯状部材を備えることが好ましい。
【００１０】
前記吊り掛け具に横膜が吊下げられていることが好ましい。
【考案の効果】
【００１１】
本考案によれば、天幕の芯材位置の下面、好ましくは芯材吊金具の直下位置において天幕の下面に吊り掛け具を設けたことにより、吊り掛け具に横膜を吊下げることができる。吊り掛け具に吊下げられた横膜の荷重は、芯材吊金具によって受けられるため、横膜を安定してしっかりと吊下げることができる。天幕の開閉と連動して横膜も開閉させることができる。
【図面の簡単な説明】
【００１２】
【図１】本考案に係る開閉式テントの平面図である。
【図２】図１の開閉式テントの正面図である。
【図３】図１の開閉式テントの伸縮式の柱フレームを縮めた状態を示す側面図である。
【図４】図１の開閉式テントの伸縮式の柱フレームを伸ばした状態を示す側面図である。
【図５】図１のＶ−Ｖ線に沿う断面の端面図である。
【図６】図５の一部を拡大して示す部分拡大断面図である。
【図７】図６の側面図である。
【図８】図１の開閉式テントの要部を切欠いて示す斜視図である。
【図９】従来の開閉式テントであって、天幕を広げた状態を示す斜視図である。
【図１０】図９の天幕を収納した状態を示す斜視図である。
【考案を実施するための形態】
【００１３】
本考案に係る開閉式テントの一実施形態について、以下に図１〜図８を参照して説明する。図１は開閉式テントの平面図、図２は正面図、図３は側面図、図４は柱フレームを縮めた状態の側面図、図５は図１のＶ−Ｖ線断面図、図６は図５の一部拡大図、図７は図２の一部拡大図、図８は天幕の一部を切欠いて示す要部斜視図である。なお、全図を通し、同一又は類似の構成要素には同符号を付している。
【００１４】
開閉式テントは、４本の柱フレーム５と、柱フレーム５にコーナージョイント６を介して接続される４本の桁フレーム４によって箱型のフレームが形成され、平行な一対の桁フレーム４に形成されたＴ溝のレール４ａに芯材吊金具３がスライド自在に吊設され、芯材吊金具３が天幕１の芯材２を挟持している。柱フレーム５、桁フレーム４は、アルミ等の金属製の形材により形成することができる。
【００１５】
コーナージョイント６には、２本のワイヤーＷが対角線状に連結され、２本のうちの一本のワイヤーＷに、ワイヤーＷの張力を調整するためのターンバックルＴが介在されている。
【００１６】
柱フレーム５は、伸縮式とされ、組立時には、図３に示すように柱フレーム５を縮めた状態で天幕１を取り付けた後、図４に示すように柱フレーム５が伸ばされる。
【００１７】
芯材吊金具３は、コマ付きのガイロカンを採用することができ、断面半円形状をした一対のグリッププレート３ａと、両方のグリッププレート３ａに貫通させたボルト３ｂと、ボルト３ｂに螺入されたナット３ｃと、桁フレーム４のレール４ａ内を転動するコマ３ｄとを備える。ボルト３ｂへのナット３ｃの締め具合で一対のグリッププレート３ａのグリップ力が調節される。
【００１８】
天幕１は所定間隔で並列に延びる筒状部１ａが形成されており、其々の筒状部１ａに芯材２が挿通されている。芯材吊金具３は、芯材２の長さ方向両側を挟持して、天幕１を吊下げる。図示例の芯材吊金具３は、天幕１をいわゆる片流れ状に吊設するため、芯材２の長さ方向両側で、其々長さの異なる中間プレート３ｅ、３ｆを備えている。
【００１９】
天幕１の芯材２の位置の下面に吊り掛け具７が取り付けられている。吊り掛け具７は、天幕１の下面に縫い付けられた輪状帯状部材とすることができ、好ましくは、天幕１と同材料で形成され得るが、それに限らず、三角ピケット等、横膜８等を吊り掛けることができるものであればよい。図示例では、吊り掛け具７と、横膜８の上辺に取り付けられた三角ピケット８ａとが、スナップフック９により連結されている。
【００２０】
吊り掛け具７は、芯材２の位置の下面に取り付けられているため、横膜８の荷重は芯材２で受けることができる。天幕１の開閉時においても芯材２の高さ位置はほぼ一定であるので、天幕１の芯材２の位置の下面に取り付けた吊り掛け具７の高さ位置も、天幕１の開閉時にほぼ一定であり、吊り掛け具７に横膜８を吊下げても、横膜８が上下することがなく、スムースに横膜８を開閉することができる。
【００２１】
吊り掛け具７は、図示例において、芯材吊金具３の直下位置において天幕１の下面に取り付けられているが、芯材吊金具３の直下位置の近傍位置、或いは芯材吊金具３の直下位置から芯材２の長手方向に所定距離前後した位置に設けることもできる。
【００２２】
吊り掛け具７を芯材吊金具３の直下位置に設けることで、吊り掛け具７に吊り掛けられる横膜８の荷重は芯材吊金具３を介して桁フレーム４によりダイレクトに支えられ、横膜８の荷重を芯材２で支える必要が無い。そのため、芯材２は天幕１を支持し得るだけの強度があればよく、横膜８を支持する程の強度がなくてもすむので、軽量な芯材２を用いることができる。
【００２３】
天幕１は、図１および図５に示すように、芯材２の長さ方向において、平行に配置された桁フレーム４、４の両外側へ其々同じ所定長さＬだけはみ出して吊設されているが、このような場合には、横膜８を桁フレーム４に吊下げることができないが、吊り掛け具７に横膜８を吊下げることで、開閉式テントにおいても横膜８を設けることが可能となる。
【００２４】
本考案は、上記実施形態に限定されず、本考案の趣旨を逸脱しない範囲において変更が可能である。例えば上記実施形態では、吊り掛け具に横膜を吊下げる例を示したが、吊り掛け具に吊下げる物としては、横膜以外の物、例えば、イベントで使うプラカード等を吊り下げることもできる。
【符号の説明】
【００２５】
１  天幕
２  芯材
３  芯材吊金具
４  桁フレーム
５  柱フレーム
６  コーナージョイント
７  吊り掛け具
８  横膜
【図１】
0003217663.tif 000003
【図２】
0003217663.tif 000004
【図３】
0003217663.tif 000005
【図４】
0003217663.tif 000006
【図５】
0003217663.tif 000007
【図６】
0003217663.tif 000008
【図７】
0003217663.tif 000009
【図８】
0003217663.tif 000010
【図９】
0003217663.tif 000011
【図１０】
0003217663.tif 000012